(57)【要約】【課題】無駄なく着座者に快適性を与えることが可能な送風装置及びそれが組込まれた座席を提供すること。【解決手段】装置外部の空気を吸引する送風源と、該送風源に吸引された空気を通過させる通風路と、該通風路を通過してきた空気を装置外部に吹き出す吹出口と、からなり、上記送風源による空気の吸引と上記吹出口からの空気の吹き出しとが、ともに対象物が存する面で行われる送風装置。空気を装置外部に吹き出す送風源と、該送風源に送られる空気を通過させる通風路と、装置外部の空気を吸引する吸引口と、からなり、上記送風源による空気の吹き出しと上記吸引口からの空気の吸引とが、ともに対象物が存する面で行われる送風装置。座席本体と、座席本体に組込まれた上記送風装置と、を具備し、空気の吸引と空気の吹き出しとが、ともに着座面で行われる座席。【選択図】      図３
2010000253.tif 000002
【特許請求の範囲】
【請求項１】
装置外部の空気を吸引する送風源と、該送風源に吸引された空気を通過させる通風路と、該通風路を通過してきた空気を装置外部に吹き出す吹出口と、からなる送風装置において、
上記送風源による空気の吸引と上記吹出口からの空気の吹き出しとが、ともに対象物が存する面で行われることを特徴とする送風装置。
【請求項２】
空気を装置外部に吹き出す送風源と、該送風源に送られる空気を通過させる通風路と、装置外部の空気を吸引する吸引口と、からなる送風装置において、
上記送風源による空気の吹き出しと上記吸引口からの空気の吸引とが、ともに対象物が存する面で行われることを特徴とする送風装置。
【請求項３】
上記通風路が、複数のチューブが並列一体化されてシート状に成形されていることを特徴とする請求項１又は請求項２記載の送風装置。
【請求項４】
上記複数のチューブはシート上に設置され該シートを介して並列一体化されていることを特徴とする請求項３記載の送風装置。
【請求項５】
座席本体と、上記座席本体に組込まれた上記請求項１〜請求項４記載の送風装置と、を具備し、空気の吸引と空気の吹き出しとが、ともに着座面で行われることを特徴とする座席。
【発明の詳細な説明】
【技術分野】
【０００１】
本発明は、例えば、自動車等の乗り物の座席に装着される送風装置に係り、特に、無駄なく着座者に快適性を与えることが可能なものに関する。
【背景技術】
【０００２】
例えば、自動車等の座席に、特に周囲の温度や湿度が高い条件の下で長時間に渡って着座する場合、座席の表面と人体接触部に「蒸れ」や「べたつき感」が生じる。この「蒸れ」や「べたつき感」は着座者の快適感を損なう原因となることから、従来からこのような問題に対する対策が種々検討されている。
【０００３】
このような検討の一つとして、例えば、当該特許出願人より特許文献１のような提案がなされている。特に特許文献１の図７、図１４などには、送風装置が組込まれた座席の概略断面図が示されており、ファンなどの送風源より送られた風が、チューブ状の通風路を通過して、吹出口より吹き出し、着座者に送風させる態様が開示されている。この送風により着座者の「蒸れ」や「べたつき感」が解消されることとなる。又、関連する技術として、例えば特許文献２も挙げられる。
【０００４】
【特許文献１】国際特許公開ＷＯ２００５／０８４４９３公報：クラベ
【特許文献２】実開平５−５１１４４号公報：デルタ工業
【発明の開示】
【発明が解決しようとする課題】
【０００５】
着座者が「蒸れ」や「べたつき感」の解消を感じ、快適性を得るには、いかなる現象が生じれば良いかということを考察すると、「吹き出された空気が当たる」ということが重要ではなく、「着座面で空気の移動が起こっている」ということが重要であると導かれる。ここで、特許文献１では、送風源は座席下もしくは背面の裏に設置され、送風源による空気の吸引は、着座面と関係のない部分から空気を吸引している。上記のように「空気の移動」に着目してみると、送風源の空気の吸引によっても空気の移動は起こっているのであるが、特許文献１においては、この吸引による空気の移動については何ら考察がなされていなかった。又、特許文献２においても、空気の吹き出し又は吸引により快適性を得ることが記載されているが、装置外部から送風源に吸引される空気、又は、送風源より装置外部に吹き出される空気については、何ら考察がなされていなかった。
【０００６】
本発明はこのような従来技術の問題点を解決するためになされたもので、その目的とするところは、無駄なく着座者に快適性を与えることが可能な送風装置及びそれが組込まれた座席を提供することにある。
【課題を解決するための手段】
【０００７】
上記目的を達成するべく、本発明の請求項１による送風装置は、装置外部の空気を吸引する送風源と、該送風源に吸引された空気を通過させる通風路と、該通風路を通過してきた空気を装置外部に吹き出す吹出口と、からなる送風装置において、上記送風源による空気の吸引と上記吹出口からの空気の吹き出しとが、ともに対象物が存する面で行われることを特徴とするものである。
又、請求項２記載の送風装置は、空気を装置外部に吹き出す送風源と、該送風源に送られる空気を通過させる通風路と、装置外部の空気を吸引する吸引口と、からなる送風装置において、上記送風源による空気の吹き出しと上記吸引口からの空気の吸引とが、ともに対象物が存する面で行われることを特徴とするものである。
又、請求項３記載の送風装置は、上記通風路が、複数のチューブが並列一体化されてシート状に成形されていることを特徴とするものである。
又、請求項４記載の送風装置は、上記複数のチューブはシート上に設置され該シートを介して並列一体化されていることを特徴とするものである。
又、請求項５記載の座席は、座席本体と、上記座席本体に組込まれた上記送風装置と、を具備し、空気の吸引と空気の吹き出しとが、ともに着座面で行われることを特徴とするものである。
【０００８】
なお、上記の「対象物」とは、例えば、本発明を座席用の送風装置に適用した場合は、その座席に座る着座者のことであり、着座者が吸引及び吹き出しによる空気の移動を感じられるように、空気の吸引及び吹き出しを行うことを意図する。
【発明の効果】
【０００９】
本発明による送風装置は、吹出口からの空気の吹き出しや、吸引口による空気の吸引のみならず、送風源による空気の吸引や吹き出しによっても、着座者は「蒸れ」や「べたつき感」の解消を得られる。このように、送風源についても着座者の快適性に寄与させることができるため、送風源の駆動を無駄なく活用することができる。
また、送風源による空気の吸引を着座面から行えば、シート表皮がフィルタの役を果たすことになり、送風源に異物が混入することを防止することができる。
【発明を実施するための最良の形態】
【００１０】
以下、図面を参照して本発明の実施の形態を説明する。この実施の形態は、本発明を自動車等の車両用座席に適用することを想定した例を示すものである。尚、図３〜８における白抜き矢印は空気の移動の向きを表す。
【００１１】
本実施の形態による送風装置１は、図１及び図２に示すような構成になっている。まず、ファンからなる送風源２があり、この送風源２には、オレフィン系熱可塑性エラストマーからなり、内径３ｍｍφ、外径４ｍｍφの７０本のチューブ４が並列一体化されシート状に成形された通風路３が接続されている。ここで、通風路３は、ノズル６を介して送風源２に接続されている。通風路３を構成する複数のチューブ４の上面側（シート表皮側）には幅１０ｍｍの一直線スリット状の吹出口５が６０ｍｍ間隔で３本形成されており、又、送風源２と接続されていない側の端部は塞がれている。
【００１２】
チューブ４を並列一体化する方法としては、別に用意した不織布のシート１１上に接着剤を塗布し、この上にチューブ４を並列に配置することで一体化を行った。他の方法として、例えば、加圧加熱によりチューブ４を軟化させ接着させる方法、チューブ４を並列に並べた後、隣接するチューブ４同士を接着剤等により接着する方法、チューブ４を並列に並べた後、隣接するチューブ４の接触面にレーザ光線を照射してチューブ４同士を融着一体化する方法などが挙げられる。
【００１３】
このような構成の送風装置１とすることにより、チューブ４に上から荷重が加わって、チューブ４が扁平しても横同士のチューブ４が一体化されているため、扁平された部分の逃げ場がなくなり、一定以上の変形が制限されることで、実使用上で想定される荷重が加わっても完全に潰れることはなく、所望とする通風量を確保することができる。
【００１４】
ここで、チューブ４を並列一体化しない場合、着座時の通風量は、着座しない場合に比較して最大で０．６％まで減少するのに対し、本実施の形態のように、チューブ４を並列一体化した場合には、最大４７％の減少に止まっていることを実験により確認している。
【００１５】
図３は、前記した本実施の形態による送風装置を、自動車等の車両用座席に組込んだ状態の例を示すものである。図３において、まず、凹部を形成しないシートパット７とシート表皮９の間に、チューブ４が並列一体化されシート状に成形された通風路３を設置し、この通風路３は送風源２に接続されており、送風源２はシートパット７に埋め込むように設置されている。又、送風源２は、座席の座面より外部の空気を吸引するように設置されている。これにより、座席の座面という同一面上において、送風源２による空気の吸引と、吹出口５からの空気の吹き出しが同時に起こることになる。更に、シート表皮９を介して送風源２が空気を吸引することになるため、シート表皮９がフィルタの役を果たすことになり、送風源２に異物が混入することを防止することができる。ここで、送風源２としては、通常のファン以外にも、例えば、温風や冷風を発生することのできるペルチェ素子を内蔵させたものでも良い。このような場合には、冷風をチューブ４に通風させることにより、着座者の汗等による蒸れやべたつき感の除去に対する効果がより一層高まり、快適性を更に向上させることができる。又、送風源２の空気を取り入れる箇所や送風源２と通風路３の間に冷却装置を設置することでも、同様に快適性を更に向上させることができる。更には、上記の冷却装置の代わりに又は冷却装置と併せて乾燥装置を設置させても良い。
【００１６】
又、図３においてはシートパット７に送風源２を埋め込んでいるが、例えば、図４のように、送風源２を座席下に設置しシートパット７に通気孔を設けた態様としても構わない。又、通風路３の取り回しについても、座面の端を迂回させて配置する、送風源２とともに着座面に沿わせて配置する、シートパット７を貫通させて着座面に引き出す、など、座席の形状や座席の取り付け構造等に応じて適宜選択すれば良い。又、この通風路３の取り回し方に応じて、吹出口５の位置も適宜設定すれば良い。
【００１７】
又、送風源２として使用したファンについて、ファンの回転を逆回転とし、図５に示すように送風源２から空気を吹き出すことも考えられる。この場合、通風路３に設けられたスリット状の吹出口は、吸引口５´として機能することになる。
【００１８】
又、図６に示すように、本実施の形態による送風装置とシート表皮９の間に、例えば、従来公知のシートヒータ８を設置することも考えられる。シートヒータ８としては、従来公知のものを何れも使用可能であるが、例えば、特許文献３に示されたものは、良好な通気性を有することから、特に好ましい。このようにシートヒータと組み合わせることにより、通風によるムレやべたつき感の除去の機能と暖房機能とを兼ね備えることが可能となる。
【００１９】
【特許文献３】特開２００３−１７４９５２号公報
【００２０】
又、第７図に示すように、座席の背面側に送風装置を組込むことも考えられる。勿論、座席の背面側における着座者が接する面も本発明で言うところの「着座面」に該当する。そのため、例えば、座席の背面側で空気の吸引をし、座面側で空気の吹き出しをするような態様も考えられる。又、例えば、着座者のふくらはぎに位置する部分より空気の吸引を行うような態様も考えられる。
【００２１】
上記実施の形態では、複数のチューブが並列一体化されてシート状に成形された通風路３を使用している。このような態様の通風路３については、例えば、上記の特許文献１を参照することができる。また、本発明による送風装置の通風路はこのような態様に限定されるものではない。例えば、図８のようにシートパット７に溝や穴を掘り、それを通風路３や吹出口５とすることも考えられる。又、シートパットとして通気性に優れる材料を使用し、このシートパットに通風路及び吹出口の機能を持たせたものも考えられる。
【産業上の利用可能性】
【００２２】
以上詳述したように本発明の送風装置によれば、無駄なく着座者に快適性を与えることが可能となる。その用途としては、自動車の座席以外にも、例えば、自動二輪車や鉄道車両等の車両座席でも良いし、チャイルドシート、土木建築用重機の座席、船舶や航空機などの座席、遊園地の観覧車の座席、各種競技場の観覧席、劇場や映画館等の鑑賞用座席、駅やテーマパーク、屋外公園等に設置されたベンチ、家庭内やオフィスで使用されるソファーや座椅子、理髪店の椅子、各種医療機関で使用されている医療用の椅子などへの適用も考えられる。また、座席のみならず、例えば、ベッド、ふとん、枕、ベビーカー、便座カバー、被服類など、幅広く応用が可能である。
【図面の簡単な説明】
【００２３】
【図１】本発明の実施の形態を示す図で、送風装置の斜視図である。
【図２】本発明の実施の形態を示す図で、図１による送風装置の別の面を示す斜視図である。
【図３】本発明の実施の形態を示す図で、送風装置が座席に組込まれた状態を示す断面図である。
【図４】本発明の他の形態を示す図で、送風装置が座席に組込まれた状態（送風源を座席下に設置した例）を示す断面図である。
【図５】本発明の他の形態を示す図で、送風装置が座席に組込まれた状態（送風源にて吸引した例）を示す断面図である。
【図６】本発明を応用した実施の形態を示す図で、送風装置及びシートヒータが座席に組込まれた状態を示す断面図である。
【図７】本発明の他の形態を示す図で、送風装置が座席の背面側に組込まれた状態を示す断面図である。
【図８】本発明の他の形態を示す図で、送風装置が座席に組込まれた状態（溝により通風路と吹出口を形成した例）を示す断面図である。
【符号の説明】
【００２４】
１  送風装置
２  送風源
３  通風路
４  チューブ
５  吹出口
６  ノズル
７  シートパッド
８  シートヒータ
９  シート表皮
【図１】
2010000253.tif 000003
【図２】
2010000253.tif 000004
【図３】
2010000253.tif 000005
【図４】
2010000253.tif 000006
【図５】
2010000253.tif 000007
【図６】
2010000253.tif 000008
【図７】
2010000253.tif 000009
【図８】
2010000253.tif 000010